(57)【要約】【課題】　本体１の後部に設けられ、全熱交換器１１と排気・外気導入ファン１０，１４を有する換気ユニット部４と、換気ユニット部４に隣接して本体１の中央部に設けられ、室内の空気が吸い込まれる吸い込みチャンバー８及び吸い込みチャンバー８に隣接して本体前部側に空調用熱交換器１６で区画形成された送風機室２２を有する空調ユニット部５と、本体前部に空調ユニット部５に隣接して設けられ、吹き出し空気を各室へ分岐する吹き出しチャンバー７を備えたものである。【解決手段】　空調用送風機２０から室内へ伝播する騒音のレベルを低減できると共に、ユニット設置スペースを小さくできる。【選択図】　　　　図１
2004045029.tif 000002
【特許請求の範囲】
【請求項１】
　複数の部屋を有する家屋の各室の室内空気を換気する換気システムにおいて、
　室内空気を吸い込む吸い込み口と、吸い込まれた室内空気を屋外へ導く排気ファンと、屋外から外気を導入する外気導入ファンと、前記外気を分岐するため３以上のダクト接続口とを備える本体と、
　前記３以上のダクト接続口と各室とを接続するダクトとを備え、
　前記本体を家屋の所定の場所に設置し、前記複数の部屋の各室のダクトの吹出口から空気を吹き出すことにより室内空気を各室から前記本体が設置された場所へ流出させて前記本体の吸い込み口から吸い込むことにより家屋の室内空気を換気することを特徴とする換気システム。
【請求項２】
　前記本体は、家屋の廊下の天井裏に設置され、
　前記換気システムは、さらに、室内と廊下の境界に、室内空気を各室から廊下へ流出させるガラリを備えたことを特徴とする請求項１記載の換気システム。
【請求項３】
　前記換気システムは、さらに、前記吸い込み口に、遮音板を備えたことを特徴とする請求項１記載の換気システム。
【発明の詳細な説明】
【技術分野】
【０００１】
　この発明は、室内の冷暖房、全熱交換器を利用した換気及び排熱回収を同時に行うことができる天井埋込型換気空調ユニットに関するものである。
【背景技術】
【０００２】
　図１０は例えば特公平４−４０６１５号公報に示された従来の換気空調ユニットの平面図、図１１は図１０のＡ−Ａ断面図である。換気空調ユニットの本体１２１に公知の全熱交換器１２２を備えた全熱交換器室１２３と、第１の仕切板１２４で区画され、外気を吸気する吸気ファン１２５と、室内空気を排気する排気ファン１２６を構成する吸排気送風機１２７とを設けている。前記吸気ファン１２５側には外気取入口１２８と全熱交換器室１２３に連通する吸気開口部１２９と、前記排気ファン１２６側には、第２仕切板１３０の第１開口部１３１より全熱交換器室１２３に連通する排気開口部１３２を設けている。前記第２仕切板１３０に区画された空調室１３３にはモーター板１３４に固着した空調用送風機１３５と、冷温水を通水する熱交換器１３６とを備え、前記全熱交換器１２３と前記熱交換器１３６とは空調用送風機とともに並置するようにして設け、室内へ供給する供給口１３７が、前記熱交換器１３６に対向して備えられる。したがって、前記空調用送風機１３５と、吸排気用送風機１２７とも第２仕切板１３０を挟んで近接して設けられる。前記全熱交換器室１２３には室内空気が外側に排気される屋外排気口１３８を設けている。また、空調室１３３に設けた空調用送風機１３５の下方、すなわち天井面に対向して室内空気取入口１３９を設けている。全熱交換器室１２３の前記全熱交換器１２２には、図１１に示すように下室１４０と上室１４１とを区画するように第３仕切板１４２を設け、前記下室１４０側に吸気ファン１２５と、排気ファン１２６によって連通するように吸気開口部１２９及び排気開口部１３２に対応して設けている空気連通口１４３と排気連通口１４４を備えている。
【０００３】
　上記構成において、熱交換器１３６に冷温水を通水しながら空調を行い、室内の換気を行なうべく運転を始めると、室内空気取入口１３９に、室内（天井面）より空気が流入し空調送風機１３５を経て熱交換器１３６を通過し、供給口１３７よりふたたび室内へ吹出される。一方換気は、排気として排気ファン１２６により室内空気取入口１３９より流入した室内空気の一部が、第１開口部１３１より矢印Ａに示すように排気開口部１３２を通ってさらに排気連通口１４４を通り、全熱交換器１２２の一面より下方に向かって上室１４１に流れ屋外排気口１３８より屋外へ排気される。また吸気としては、吸気ファン１２５により、屋外の空気が外気取入口１２８より流入し、吸気ファン１２５を経て吸気開口部１２９、吸気連通口１４３を通り全熱交換器１２２の一面を通過し、図１１に示す矢印Ｂのように上室１４１に流れ、第２仕切板１３０の第２開口部１４５より空調室１３３に流入し、空調用送風機１３５によって吸引され室内空気取入口１３９より流入する室内空気と混合され、熱交換器１３６を通過して供給口１３７より室内へ吹出されて換気が行われるのである。
【特許文献１】特公平４−４０６１５号公報
【特許文献２】特願平０５−３３４６００号公報（特開平０７−１９０４１５号公報）
【特許文献３】特開平０６−３４７０５２号公報
【特許文献４】特開平０４−１５８１４３号公報
【特許文献５】特開平０４−２７０８５１号公報
【特許文献６】特開昭６２−１７８８３５号公報
【特許文献７】特開平０４−０６４８５５号公報
【特許文献８】特開平０５−２４０４６４号公報
【特許文献９】特開平０６−１５９７８３号公報
【特許文献１０】特開平０４−０３２６３４号公報
【特許文献１１】特開平０５−２６４０９２号公報
【特許文献１２】特開昭６２−０７３０２７号公報
【特許文献１３】特開平０６−２２９６０６号公報
【発明の開示】
【発明が解決しようとする課題】
【０００４】
　従来の換気空調ユニットは以上のように構成されているので、空調用送風機１３５が室内空気取入口１３９の上方の空調室１３３に配設され、空調用送風機１３５の音が室内空気取入口１３９を通して室内に伝播し騒音レベルが大きくなるという問題点があった。
【０００５】
　また、従来の換気空調ユニットは、室内への吹き出し口である供給口１３７が長方形ダクトに合わせた形状のため、ダクトを分岐するには空気調和機本体１とは別に分岐チャンバーを設ける必要があり、設置スペースが大きくなるという問題点があった。
【０００６】
　この発明は、上記のような問題点を解消するためになされたもので、空調用送風機やドレン水用ポンプ等の、吸い込みグリル（室内空気取入口）から室内へ伝播される騒音のレベルを低減すると共に、分岐チャンバーを空気調和機本体に一体に組み込んだ省スペースでかつサービス性の良い天井埋込型換気空調ユニットを提供することを目的とする。
【課題を解決するための手段】
【０００７】
　この発明に係る換気システムは、複数の部屋を有する家屋の各室の室内空気を換気する換気システムにおいて、
　室内空気を吸い込む吸い込み口と、吸い込まれた室内空気を屋外へ導く排気ファンと、屋外から外気を導入する外気導入ファンと、前記外気を分岐するため３以上のダクト接続口とを備える本体と、
　前記３以上のダクト接続口と各室とを接続するダクトとを備え、
　前記本体を家屋の所定の場所に設置し、前記複数の部屋の各室のダクトの吹出口から空気を吹き出すことにより室内空気を各室から前記本体が設置された場所へ流出させて前記本体の吸い込み口から吸い込むことにより家屋の室内空気を換気することを特徴とする。
【実施例】
【０００８】
　実施例１．
　以下、この発明の実施例１を図について説明する。図において、符号１は空気調和機本体、２は本体１の後部に設けられた換気ユニット部４と中央の空調ユニット部５を仕切る第１の仕切板、３は空調ユニット部５と本体１の前部に設けられた室内吹き出しチャンバー部７を仕切る第２の仕切板である。
【０００９】
　換気ユニット部４は、第１の仕切板２に設けられ、空調ユニット部５の吸い込みチャンバー８に連通する室内空気の排気用の排気吸い込み口９、この排気吸い込み口９に対向して設けられた排気ファン１０、該排気ファン１０の吹き出し口側に全熱交換器１１、排気ダクト接続口１２を有する室内空気排気部を設けると共に、外気導入ダクト接続口１５、この外気導入ダクト接続口１５に対向して設けられた外気導入ファン１４、この外気導入ファン１４の吹き出し口側に設けられ、排気空気と交差するように構成されて全熱交換器１１、第１の仕切板２に設けられた空調ユニット部５に連通する新鮮外気吹き出し口１３を有する外気導入部が設けられている。
【００１０】
　空調ユニット部５中の第１の仕切板２と空調用熱交換器１６の間に位置する吸い込みチャンバー８は、図２に示すようにその真下に室内空気を吸い込む吸い込みダクト１７、この吸い込みダクト１７の先端（室内天井面）に取り付けられた吸い込みグリル１８、吸い込みグリル１８の裏側に近接して設けられたフィルター１９を有する。そして、空調用熱交換器１６は吸い込みチャンバー８側に倒し、傾斜して取り付けられている。
【００１１】
　吸い込みチャンバー８を形成する空調用熱交換器１６の反吸い込みチャンバー８側には送風機室２２があり、二個のファン２０とこのファン２０を駆動するファンモータ２１を備え、夫々のファン２０のファンケーシング２３及びファンモータ２１のファン固定具２４は第２の仕切板３に固定されている。送風機室２２を囲む外郭構成部品と第２の仕切板３の内面には図２に示すように吸音材２７が適宜貼られている。
【００１２】
　第２の仕切板３の反送風機室２２側に室内吹き出しチャンバー７が設けられ、第２の仕切板３に設けた角穴４１を通してファンケーシング２３の吹き出し開口部に連通し、反第２の仕切板３側の端部には複数の吹き出しダクト接続口２５が配設されている。
【００１３】
　図２に示すように、吹き出しダクト接続口２５は、ファンケーシング２３の吐出口の高さとほぼ同じ高さに配置されている。また、図１において、２つのファンケーシング吐出口に対向して、２つの吹き出しダクト接続口２５が設けられ、さらに他の１つの吹き出しダクト接続口２５は、２つのファンケーシング吐出口の中間部に配置されている。
【００１４】
　吹き出しチャンバー７内の断熱部品は、図３に示すように下面（室内の天井側）が開口した箱形状の発泡成形品で、一側面が吹き出しダクト接続口２５を有し、他側面にファンケーシング２３の吹き出し開口部に連通した角穴４１を有する。そして、この箱形状の断熱部品は、本体１へ組み込んだ時、別の断熱部品４２で開口部が塞がれる。
【００１５】
　図２に示すように、空調用熱交換器１６の真下にドレンパン２６を設け、さらに空調用熱交換器１６の送風機室２２側に隣接してドレンパン２６のドレン水を汲み上げるドレンポンプ２８があり、汲み上げたドレン水はドレンホース２９で外部に面したドレン接続口３０に送り出される。
【００１６】
　図５に示すように、ドレン接続口３０及び吹き出しダクト接続口２５が形成された本体前面は、左右両端の上部に本体吊り下げ用の吊り金具３１を設け、複数の円形状の吹き出しダクト接続口２５を本体１の下面に接するか近接して配設し、ドレン接続口３０は吹き出しダクト接続口２５の上端から適宜間隔をあけた上部で、任意の隣接した２つの吹き出しダクト接続口２５の中間位置に配設されている。そして、冷媒配管接続口４０は吹き出しダクト接続口２５の横で一方の吊り金具３１の下に設けられている。
【００１７】
　電気品箱３２は、吸い込みチャンバー８の内部で第１の仕切板２に取り付けられている。そして、図６に示すように、第１の仕切板２には両側に案内溝を有するレール３３が形成されており、このレール３３に係合するガイド部品３４が電気品箱３２に設けられている。
【００１８】
　図７に示すように、本体１の下面に対向した天井面に点検口が設けられており、点検口はフレーム３６、送風機室サービス用扉３７、換気ユニット部サービス用扉３８及び吸気口サービス用扉３９を有する。各扉３７〜３９はフレーム３６に設けた軸３６ａ，３６ｂ，３６ｃと各扉３７〜３９に設けた軸受け部（図示せず）が回動自在に嵌合すると共に取り外しも可能である。吸気口サービス用扉３９は、吸い込みグリル１８と吸い込みダクト１７と一体に形成されており、この吸気口サービス用扉３９を開口することにより、吸い込みチャンバー８の下面が開放される。
【００１９】
　次に動作について説明する。図１，２に示すように、室内の空気は天井面の吸い込みグリル１８から吸い込まれて、吸い込みダクト１７を通って空調ユニット部５の吸い込みチャンバー８に入る。吸い込みチャンバー８に入った空気の一部は、排気ファン１０によって排気吸い込み口９から換気ユニット部４に導かれ、全熱交換器１１を経て排気ダクト接続口１２から屋外へ排出される。この時、略同量の新鮮な外気が外気導入ファン１４により外気導入ダクト接続口１５から全熱交換器１１に導かれ、ここで新鮮空気は排気と熱交換することにより排熱回収した後新鮮外気吹き出し口１３から吸い込みチャンバー８に供給されて室内から吸い込まれた循環空気と混合される。このように換気ユニット部４の作用により熱をロスすることなく室内の循環空気の一部を新鮮な空気と置換して空調用熱交換器１６に供給することができる。
【００２０】
　一部が新鮮な空気と置換した吸い込みチャンバー８の空気は、空調用熱交換器１６を通過する際に、空調用熱交換器１６を流れる冷媒又は温水等により、冷却又は加熱され、送風機室２２へ導かれる。本体の構成が空調用熱交換器１６で吸い込みチャンバー８と送風機室２２を区画しているのでの、吸い込みチャンバー８内の空間を利用して空調用熱交換器１６を倒すことができる。斜めに配置した空調用熱交換器１６は垂直に配置したときと較べ熱交換器面積を大きく確保することができ、圧力損失の低減による騒音値の減少や熱交換性能の向上が可能である。
【００２１】
　送風機室２２の空気はファン２０によってファンケーシング２３から第２の仕切板３の角穴４１を通って吹き出しチャンバー７に吐き出され、複数の吹き出しダクト接続口２５から各室へ分散して供給されるが、ファンケーシング２３の吐出口より出た空気の流れは、対向して設けられたダクト接続口２５よりスムーズに流れ出る。さらに中央部の吹き出しダクト接続口２５は、両端の吹き出しダクト接続口２５に比べ流量は少ないものの、後述するダクト先端の風量可変装置付き吹き出し口５１で各々の流量のバランスを調整するので実用上問題はない。しかし、総合的な圧力損失は低下し騒音値の低減を図ることができる。
【００２２】
　送風機室２２に設けられたファン２０が発生する騒音は、送風機室２２を囲む外郭構成部品によって遮音されると共に、送風機室２２内面に設けた吸音材２７で吸音され騒音レベルが減少する。ファン２０が発生する騒音は一部空調用熱交換器１６のフィン部の間隙から吸い込みチャンバー８に洩れるが、吸い込みチャンバー８の吸音材の効果と吸い込みグリル１８までの間に吸い込みダクト１７が存在して距離があるために減衰し室内へ伝播する騒音は低減される。
【００２３】
　空調ユニット部５の他の騒音源であるドレン水ポンプ２８は、送風機室２２に配設されているので、ドレン水ポンプ２８が発生する騒音もファン２０の場合と同様にして室内へ伝播する騒音レベルは低減される。
【００２４】
　吹き出しチャンバー７が本体１に一体に設けられているので、別個に分岐チャンバーを設ける必要がなく、複数の吹き出しダクトを本体１へ直接接続することができる。これにより設置スペースを小さくすることが可能になる。
【００２５】
　また吹き出しチャンバー７は、断熱性を向上させるために一体の発泡成形品または複数の発泡成形品を接着とかはめ込みで組み合わせて空気の漏れを発生しない断熱構造とすることにより、従来のシート状の断熱材を突き合わせて断熱する方法ではどうしても多少の風が漏れて金属性の外郭構成部品を冷却し、本体外部に結露して滴下するという問題があったが、本体外部の露付きを防止する。但し、発泡成形品を貫通する空気流路となる開口部はその周囲に外郭構成部品との隙間ができるので、シール材等で塞ぎ冷気の回り込みを防止している。
【００２６】
　吹き出しダクト接続口２５が設けられた本体１の前面は、限られたスペースに最大のダクト分岐数を確保し、さらにドレン配管の勾配が設定できる空間が確保され、かつ各接続口での着脱が他の接続状態に無関係に行えることが必要である。
【００２７】
　図５に示すように、本願ではダクトの分岐数を３分岐で本体前面下部に横並びに配設されている。そして隣接した２つの吹き出しダクト接続口２５の間に形成される上部のスペースにドレン接続口３０が位置するのでダクト接続後でもダクト間のスペースからドレン配管の着脱が可能になると共に、ドレン配管の勾配の設定が容易にできる。また冷媒配管接続口４０は、吹き出しダクト接続口（図５の例では右端の吹き出しダクト接続口）の右下のスペースに位置するので、これも他の接続状態に無関係に着脱が可能である。このように、各接続口の着脱作業が他の接続状態に無関係に行うことができるという据付性、サービス性を確保した上で、最小限の本体ユニット高さとユニット幅寸法を実現するレイアウトとしている。
【００２８】
　電気品箱３２は、据え付け工事の際の配線接続や、基板や電気品箱の点検、修理のために、内部を視認性良くかつ作業し易い構成が望ましい。電気品箱３２が吸い込みチャンバー８の内部で、第１の仕切板２に取り付けれられた状態では、吸い込みチャンバー８の下面が開放されれば室内から点検、修理は可能なものの、暗く見にくい上に天井裏の高所で作業しなければならず作業性が良くない。この発明ではこの問題点を解消するために、図６に示すように吸い込みチャンバー８の内部で第１の仕切板２に取り付けられた電気品箱３２は、第１の仕切板２に設けられた案内溝を有するレール３３とその案内溝に係合する電気品箱３２のガイド部品３４により移動可能とし、吸い込みチャンバー８の外で本体の下部へ引き出し点検修理等を行うことができる。
【００２９】
　また、電気品箱３２は吸い込みチャンバー８内に位置するので、循環空気で冷却されて温度上昇が抑制される。
【００３０】
　電気品箱３２を吸い込みチャンバー８から引き出すためには、吸い込みチャンバー８の下面を開口する必要があるが、図７に示すように吸い込みダクト１７と吸い込みグリル１８がフレーム３６に設けた軸３６ｃを支点にして回動自在で取り外しも可能であるから、前記電気品箱３２の引き出し機構で電気品箱３２の移動距離を少なくし、かつ本体１の下部へ移動した電気品箱３２の視認性と点検修理の作業性を向上させることができる。
【００３１】
　実施例２．
　実施例１に示した天井埋込型換気空調ユニットを家屋の廊下天井裏に設置した実施例を図８により説明する。本体１は家屋の廊下天井裏に設置されており、換気ユニット部４に設けられた排気ダクト接続口１２と外気導入ダクト接続口１５に接続されたダクトにより建物の外壁に開口している。また、空調ユニット部５の吹出口に設けられた吹き出しチャンバー７の吹き出しダクト接続口２５からは、複数のダクトにより各室へ接続され各室の吹き出し口には風量可変装置付き吹き出し口５１を取り付けている。各室は廊下へ通じる空気流通用のガラリ４２を備え、さらに廊下天井部に本体１の下部に設けた吸い込みグリル１８及び本体１へ接続する吸い込みダクト１７が設置されている。
【００３２】
　換気ユニット部４の排気ダクト接続口１２はダクトで外部に通じており、吸い込みグリル１８から吸い込んだ循環空気の一部を外部に排気する。さらに排気量と同量の新鮮な室外空気を外気導入ダクト接続口１５を通じて取り入れ、全熱交換器１１で排気空気と熱交換して、各室へ供給する空調空気へ混入する。
【００３３】
　一方、本体１から吹き出しダクト接続口２５を通じて吹き出された空調空気は、接続されたダクトにより各室へ導かれる。各室の天井部では風量可変装置付吹き出し口５１で、ユーザーの設定に合わせて制御された風量調整用の弁開度で吹き出される。室内はこの吹き出し空気により空調されるが、室内と廊下との境界の壁やドアに設けたガラリ５２から室内空気は流出し、廊下天井部の吸い込みグリル１８へ吸い込まれ循環する。
【００３４】
　実施例３．
　以下、この発明の実施例３を図９により説明する。吸い込みチャンバー８の直下にある吸い込みダクト１７を介して、天井面に吸い込み口５５が開口している。吸い込み口５５は吸い込みチャンバー８の直下から適当な距離偏在したスリット状のもので、吸い込みチャンバー８の直下で天井面に設けた遮音板５３をはさんで２個形成されている。さらに遮音板５３の吸い込みチャンバー８に対向した面には吸音材５４を全面にわたり貼付している。また吸い込みダクト１７は、スリット状の２つの吸い込み口５５から曲面で吸い込みチャンバー８へ連通しており中間部にはフィルターを設置している。
【００３５】
　送風機室２２のファン２０より発生する騒音は、吸い込みチャンバー８へある程度減衰しながらも到達する。騒音はさらに放射し、吸い込みダクト１７から下部へ至るが、遮音板５３と吸音材５４により騒音は反射、減衰されるので、吸い込み口５５から室内へ放射される騒音は減少し、快適な室内環境が得られる。
【００３６】
　この実施の形態の天井埋込型換気空調ユニットは、本体の後部に設けられ、全熱交換器と排気・外気導入ファンを有する換気ユニット部と、換気ユニット部に隣接して本体の中央部に設けられ、室内の空気が吸い込まれる吸い込みチャンバー及び吸い込みチャンバーに隣接して本体前部側に空調用熱交換器で区画形成された送風機室を有する空調ユニット部とを備えた構成にしたものである。
【００３７】
　前記天井埋込型換気空調ユニットは、本体前部に空調ユニット部に隣接して、吹き出し空気を各室へ分岐する吹き出しチャンバーを設けた構成にしたものである。
【００３８】
　前記天井埋込型換気空調ユニットは、吸い込みチャンバーの下面（室内の天井側）に、吸い込みダクトとその先端に吸い込みグリルを設けた構成にしたものである。
【００３９】
　前記天井埋込型換気空調ユニットは、空調用熱交換器の送風機室側近傍にドレンポンプを設けた構成にしたものである。
【００４０】
　前記天井埋込型換気空調ユニットは、吹き出しチャンバーの内部に、下面が開口した箱形状の一体発泡成形品であって、前面に吹き出しダクト接続口、背面に送風機室のファンケーシングに連通する穴を有する断熱部材を備えた構成にしたものである。
【００４１】
　前記天井埋込型換気空調ユニットは、吹き出しチャンバーの前面部（吹き出し側）は、下端部近傍に横方向に配設された吹き出しダクト接続口と、隣り合う吹き出しダクト接続口の間の上部スペースに設けられたドレン接続口と、吹き出しダクト接続口の下部スペースに設けられた冷媒配管接続口とを備えた構成にしたものである。
【００４２】
　前記天井埋込型換気空調ユニットは、吸い込みチャンバー内の、換気ユニット部と吸い込みチャンバーを仕切る第１の仕切板に取り付けられた電気品箱を備え、電気品箱はガイド部品が第１の仕切板に設けられたレールの案内溝に係合し、吸い込みチャンバーの下部に引き出し可能な構成にしたものである。
【００４３】
　前記天井埋込型換気空調ユニットは、吸い込みチャンバーの下面に設けられ、吸い込みダクトと吸い込みグリルと一体に形成された吸気口サービス用扉を備え、吸気口サービス用扉は天井面に設けた点検口フレームの軸を支点にして下方に開放可能な構成にしたものである。
【００４４】
　前記天井埋込型換気空調ユニットは、本体下面に対向した天井面に設けられ、送風機室サービス用扉と、換気ユニット部サービス用扉と、吸気口サービス用扉と及びこれらの扉の開閉の支点となる軸が形成されたフレームとを有する点検口を設けたものである。
【００４５】
　前記天井埋込型換気空調ユニットは、吹き出しダクト接続口に接続されるダクトの各室との接続部に、風量可変装置付き吹き出し口を設けたものである。
【００４６】
　前記天井埋込型換気空調ユニットは、吸い込みチャンバーの真下の天井面に設けた遮音板と、この遮音板を挟んで天井面に形成されたスリット状の吸い込み口と、この吸い込み口から曲面で吸い込みチャンバーへ連通してなる吸い込みダクトとを備えたものである。
【００４７】
　前記天井埋込型換気空調ユニットは、空調用熱交換器は吸い込みチャンバー側に傾斜して設けたものである。
【００４８】
　前記天井埋込型換気空調ユニットは、換気ユニット部で熱をロスすることなく室内循環空気の一部を新鮮な外気と置換し、吸い込みチャンバーで新鮮な外気を室内空気に混合し、その後空調用熱交換器を経て送風機室に導かれる。
【００４９】
　前記天井埋込型換気空調ユニットは、本体に一体に組み込まれた吹き出しチャンバーから調和空気を各室へ分岐する。
【００５０】
　前記天井埋込型換気空調ユニットは、室内の空気は吸い込みグリルから吸い込まれ、吸い込みダクトを通って吸い込みチャンバーへ導かれる。
【００５１】
　前記天井埋込型換気空調ユニットは、ドレンポンプの騒音は空調用熱交換器で遮音される。
【００５２】
　前記天井埋込型換気空調ユニットは、吹き出しチャンバーの内の冷気が洩れて外郭部品に接触することがない。
【００５３】
　前記天井埋込型換気空調ユニットは、吹き出しダクト接続口、ドレン接続口及び冷媒配管接続口が他の接続状態に無関係に下方（天井）から作業することができる。
【００５４】
　前記天井埋込型換気空調ユニットは、電気品箱は吸い込みチャンバー内の循環空気で冷却され、かつ吸い込みチャンバーの下部に引き出し可能である。
【００５５】
　前記天井埋込型換気空調ユニットは、吸気口サービス用扉が下方に開き、吸い込みチャンバーの下面が開放される。
【００５６】
　前記天井埋込型換気空調ユニットは、天井面の点検口に設けた送風機室サービス用扉、換気ユニット部サービス用扉、吸気口サービス用扉を開いて各部のサービスができる。
【００５７】
　前記天井埋込型換気空調ユニットは、各室の風量可変装置付き吹き出し口により、各室へ風量が設定される。
【００５８】
　前記天井埋込型換気空調ユニットは、遮音板により吸い込みチャンバーからの騒音が遮音される。
【００５９】
　前記天井埋込型換気空調ユニットは、空調用熱交換器の面積を大きくできる。
【００６０】
　前記天井埋込型換気空調ユニットは、本体の後部に設けられ、全熱交換器と排気・外気導入ファンを有する換気ユニット部と、換気ユニット部に隣接して本体の中央部に設けられ、室内の空気が吸い込まれる吸い込みチャンバー及び吸い込みチャンバーに隣接して本体前部側に空調用熱交換器で区画形成された送風機室を有する空調ユニット部とを備えた構成にしたので、空調用送風機から室内へ伝播する騒音のレベルを低減できる。
【００６１】
　前記天井埋込型換気空調ユニットは、本体前部に空調ユニット部に隣接して、吹き出し空気を各室へ分岐する吹き出しチャンバーを設けた構成にしたので、換気空調ユニットの設置スペースを小さくできる。
【００６２】
　前記天井埋込型換気空調ユニットは、吸い込みチャンバーの下面（室内の天井側）に、吸い込みダクトとその先端に吸い込みグリルを設けた構成にしたので、空調用送風機から室内へ伝播する騒音のレベルをさらに低減できる。
【００６３】
　前記天井埋込型換気空調ユニットは、空調用熱交換器の送風機室側近傍にドレンポンプを設けた構成にしたので、ドレンポンプの騒音を空調用熱交換器で遮音できる。
【００６４】
　前記天井埋込型換気空調ユニットは、吹き出しチャンバーの内部に、下面が開口した箱形状の一体発泡成形品であって、前面に吹き出しダクト接続口、背面に送風機室のファンケーシングに連通する穴を有する断熱部材を備えた構成にしたので、吹き出しチャンバーの外郭構成部品の露付きを防止できる。
【００６５】
　前記天井埋込型換気空調ユニットは、吹き出しチャンバーの前面部（吹き出し側）は、下端部近傍に横方向に配設された吹き出しダクト接続口と、隣り合う吹き出しダクト接続口の間の上部スペースに設けられたドレン接続口と、吹き出しダクト接続口の下部スペースに設けられた冷媒配管接続口とを備えた構成にしたので、据付け性及びサービス性を確保しながら、ユニットの高さ及び幅寸法を最小限にすることができる。
【００６６】
　前記天井埋込型換気空調ユニットは、吸い込みチャンバー内の、換気ユニット部と吸い込みチャンバーを仕切る第１の仕切板に取り付けられた電気品箱を備え、電気品箱はガイド部品が第１の仕切板に設けられたレールの案内溝に係合し、吸い込みチャンバーの下部に引き出し可能な構成にしたので、電気品箱の点検、修理を容易に行うことができる。
【００６７】
　前記天井埋込型換気空調ユニットは、吸い込みチャンバーの下面に設けられ、吸い込みダクトと吸い込みグリルと一体に形成された吸気口サービス用扉を備え、吸気口サービス用扉は天井面に設けた点検口フレームの軸を支点にして下方に開放可能な構成にしたので、電気品箱の視認性と点検修理の作業性を向上させることができる。
【００６８】
　前記天井埋込型換気空調ユニットは、本体下面に対向した天井面に設けられ、送風機室サービス用扉と、換気ユニット部サービス用扉と、吸気口サービス用扉と及びこれらの扉の開閉の支点となる軸が形成されたフレームとを有する点検口を設けた構成にしたので、点検修理の作業性を向上させることができる。
【００６９】
　前記天井埋込型換気空調ユニットは、吹き出しダクト接続口に接続されるダクトの各室との接続部に、風量可変装置付き吹き出し口を設けた構成にしたので、各室での風量の設定ができる。
【００７０】
　前記天井埋込型換気空調ユニットは、吸い込みチャンバーの真下の天井面に設けた遮音板と、この遮音板を挟んで天井面に形成されたスリット状の吸い込み口と、この吸い込み口から曲面で吸い込みチャンバーへ連通してなる吸い込みダクトとを備えた構成にしたので、送風機室から室内へ伝播する騒音のレベルをさらに低減できる。
【００７１】
　前記天井埋込型換気空調ユニットは、空調用熱交換器は吸い込みチャンバー側に傾斜して設けたので、熱交換性能が向上し、かつ騒音が低減する。
【図面の簡単な説明】
【００７２】
【図１】この発明の実施例１による天井埋込型換気空調ユニットの平面図である。
【図２】この発明の実施例１による天井埋込型換気空調ユニットの側面図である。
【図３】この発明の実施例１による天井埋込型換気空調ユニットの吹き出しチャンバー断熱部品の斜視図である。
【図４】この発明の実施例１による天井埋込型換気空調ユニットの要部拡大側面図である。
【図５】この発明の実施例１による天井埋込型換気空調ユニットの吹き出し側前面部の要部斜視図である。
【図６】この発明の実施例１による天井埋込型換気空調ユニットの電気品箱引き出し方式を示す要部拡大側面図である。
【図７】この発明の実施例１による天井埋込型換気空調ユニットの吸い込みグリル開閉方式を示す側面図である。
【図８】この発明の実施例２による天井埋込型換気空調ユニットの家屋の廊下に取り付けた状態を示す斜視図である。
【図９】この発明の実施例３による天井埋込型換気空調ユニットの側面図である。
【図１０】従来の換気空調ユニットの平面図である。
【図１１】従来の換気空調ユニットの図１０のＡ−Ａ断面図である。
【符号の説明】
【００７３】
　１　本体、２　第１の仕切板、４　換気ユニット部、５　空調ユニット部、７　吹き出しチャンバー、８　吸い込みチャンバー、１０　排気ファン、１１　全熱交換器、１６　空調用熱交換器、１７　吸い込みダクト、１８　吸い込みグリル、２０　ファン、２２　送風機室、２５　吹き出しダクト接続口、２８　ドレンポンプ、３０　ドレン接続口、３２　電気品箱、３３　レール、３４　ガイド部品、３６　フレーム、３７　送風機室サービス用扉、３８　換気ユニット部サービス用扉、３９　吸気口サービス用扉、４０　冷媒配管接続口、５１　風量可変装置付き吹き出し口、５３　遮音板、５５　吸い込み口。
【図１】
2004045029.tif 000003
【図２】
2004045029.tif 000004
【図３】
2004045029.tif 000005
【図４】
2004045029.tif 000006
【図５】
2004045029.tif 000007
【図６】
2004045029.tif 000008
【図７】
2004045029.tif 000009
【図８】
2004045029.tif 000010
【図９】
2004045029.tif 000011
【図１０】
2004045029.tif 000012
【図１１】
2004045029.tif 000013